(57)【要約】【課題】トリミングされた面に光沢が全くもしくはほとんど生じない木口材を提供する。【解決手段】厚み方向断面が、艶の無い表面２ａと、平坦な裏面２ｂと、表面２ａに対しては鈍角、裏面２ｂに対しては鋭角をなす端面２ｃとで囲まれる輪郭を有し、裏面を板材に向けて板材の側面を覆う木口材２において、エラストマーを含まず主として樹脂から成り、木口材の大部分を占めるとともに、前記表面２ａから裏面２ｂに至る基部２２と、主として樹脂及びエラストマーの混合物からなり、前記基部２２の幅方向に隣接して木口材２の残部を占めるとともに、基部２２の幅方向側面の半分以上を覆う端部２１とを備えることを特徴とする。【選択図】図１
2008289546.tif 000002
【特許請求の範囲】
【請求項１】
厚み方向断面が、艶の無い表面と、平坦な裏面と、表面に対しては鈍角、裏面に対しては鋭角をなす端面とで囲まれる輪郭を有し、裏面を板材に向けて板材の側面を覆う木口材において、
エラストマーを含まず主として樹脂から成り、木口材の大部分を占めるとともに、前記表面から裏面に至る基部と、
主として樹脂及びエラストマーの混合物からなり、前記基部の幅方向に隣接して木口材の残部を占めるとともに、基部の幅方向側面の半分以上を覆う端部とを備えることを特徴とする木口材。
【請求項２】
前記端部が前記端面と前記表面とでなす稜線を含むとともに前記裏面から離れており、前記基部が樹脂および無機質フィラーの混合物からなる請求項１に記載の木口材。
【請求項３】
前記端部が前記端面と前記裏面とでなす稜線を含むとともに前記表面から離れており、前記基部が樹脂および無機質フィラーの混合物からなる請求項１に記載の木口材。
【請求項４】
前記端部が前記端面と前記裏面とでなす稜線を含むとともに前記表面から離れており、前記基部が樹脂からなり、前記表面に艶消し剤が印刷されている請求項１に記載の木口材。
【請求項５】
前記端部が前記表面の全部を含むとともに前記基部の幅方向側面の全部を覆う請求項１に記載の木口材。
【発明の詳細な説明】
【技術分野】
【０００１】
この発明は、テーブルや机の天板、棚板、扉などに用いられる各種板材の側面を覆うことにより、これを保護し又は装飾する木口材に関する。
【背景技術】
【０００２】
天板、棚板、扉などの製品は、図６に斜視図として示すごとく、板材１の側面の保護および装飾のために、木口材１２が貼り付けられている。木口材１２のうちで、板材の表面材に調和させた木質感を出すために表面が艶消し加工されているものがある。たとえば図７に厚さ方向の断面図で示す木口材１２は、全体が樹脂１３からなり、表面に艶消し剤１４が印刷されている。また、図８に示す木口材１２は、全体が樹脂および無機質フィラーの混合物１５からなり、無機質フィラーが光を散乱させて艶を消している。なお、木口材１２の裏面は、板材１の側面に密着させるために、平坦に加工されている。
そして、木口材１２は、通常、板材への面合わせおよび使用時の安全を期すために、表面側（板材１から遠い側）の稜線がトリミングされている。その結果、幅方向の端面は、表面に対して鈍角、裏面に対して鋭角をなす斜面ないしは丸みを帯びた曲面になっている。
【特許文献１】特開２００３−２９１２０２
【発明の開示】
【発明が解決しようとする課題】
【０００３】
しかし、トリミングされた面は滑らかであるから、光沢を生じる。トリミング後は、幅方向の端面と表面とのなす角が前記の通り鈍角であることから、艶消しされた表面を眺めると光沢が目立ち、表面との意匠の一体性が失われるとともに、木質感が損なわれてしまう。
それ故、この発明の課題は、トリミングされた面に光沢が全くもしくはほとんど生じない木口材を提供することにある。
【課題を解決するための手段】
【０００４】
その課題を解決するために、この発明の木口材は、
厚み方向断面が、艶の無い表面と、平坦な裏面と、表面に対しては鈍角、裏面に対しては鋭角をなす端面とで囲まれる輪郭を有し、裏面を板材に向けて板材の側面を覆う木口材において、
エラストマーを含まず主として樹脂から成り、木口材の大部分を占めるとともに、前記表面から裏面に至る基部と、
主として樹脂及びエラストマーの混合物からなり、前記基部の幅方向に隣接して木口材の残部を占めるとともに、基部の幅方向側面の半分以上を覆う端部とを備えることを特徴とする。
エラストマーは、樹脂と異なり、研磨しても光沢を生じない。この発明の木口材は、基部の幅方向側面の半分以上がエラストマーを含む端部で覆われているので、当該端面の少なくとも半分以上で光沢を生じることはない。
好ましい一つの構成は、前記端部が前記端面と前記表面とでなす稜線を含むとともに前記裏面から離れており、前記基部が樹脂および無機質フィラーの混合物（以下、「混合物Ｂ」という。）からなるものである。基部を混合物Bからなるものとすることにより、表面のほとんどが混合物Bとなり、前記端部が端面と表面とでなす稜線を含むので、表面から端面にかけて連続して光沢の無いものとなるからである。しかも前記端部が裏面から離れているので、エラストマーの配合物が裏面にしみ出すことがなく、板材に対する接着性を保持できるからである。
もう一つの好ましい構成は、前記端部が前記端面と前記裏面とでなす稜線を含むとともに前記表面から離れており、前記基部が混合物Ｂからなるものである。前記端部が表面から離れているので、表面全部が混合物Bからなり、表面の意匠の一体性が保たれるからである。
別の好ましい構成は、前記端部が前記端面と前記裏面とでなす稜線を含むとともに前記表面から離れており、前記基部が樹脂からなり、前記表面が印刷、エンボス等で艶消し加工されているものである。基部を樹脂のみとすることで無機フィラーによる基材の硬さ、脆さを防ぐことができる。また、基部が樹脂のみからなっていても表面を艶消し加工することにより、表面全部が光沢の無いものとなるからである。
更に別の好ましい構成は、前記端部が更に前記表面の全部を含むとともに前記基部の幅方向側面の全部を覆うものである。これにより端面の全部および表面の全部が光沢のないものとなるからである。
【発明の効果】
【０００５】
この発明の木口材は、以上のようにトリミングされた面にも光沢が全くもしくはほとんど生じないので、表面に艶消し加工が施された板材の側面に貼り付けられたとき、調和の取れた木質感を発揮する。その結果、板材などの製品の意匠的価値を高めることができる。
【発明を実施するための最良の形態】
【０００６】
−実施形態１−
この発明の実施形態を図面とともに説明する。図１（ａ）は第一の実施形態にかかる木口材のトリミング前の状態を示す厚さ方向断面図、（ｂ）は同じくトリミング後の状態を示す厚さ方向断面図である。
【０００７】
木口材２は、図１（ｂ）に示すように厚み方向断面が、左右対称であって、艶の無い表面２ａと、平坦な裏面２ｂと、表面に対しては鈍角α、裏面に対しては鋭角βをなす端面２ｃ、２ｃとで囲まれる輪郭を有する。そして、その輪郭内の実体は、端部２１、２１と基部２２とからなる。以下、一方の端部２１についての説明は、断り無い限り他方にも当てはまるので、一方についてのみ説明する。
基部２２は、樹脂及び無機フィラーの混合物Ｂからなり、前記輪郭内の大部分を占め、表面２ａから裏面２ｂに至る断面視長方形の帯状をなす。端部２１は、樹脂およびエラストマーの（２：１〜１：２）混合物Ａからなり、端面２ｃ、表面２ａの一部および裏面２ｂの一部で囲まれ、基部２２の幅方向側面を覆っている。端部２１に用いられるエラストマーは、例えばオレフィン系エラストマー、スチレン系エラストマー、ポリエステル系エラストマー、ポリエーテル系エラストマー、ポリウレタン系エラストマーなどの熱可塑性エラストマーである。混合物Ａ中のエラストマーが前記割合よりも少ないと艶消しの効果に乏しく、前記割合よりも多いと加工性に劣る。
【０００８】
端部２１及び基部２２に用いられる樹脂は、アクリル樹脂、オレフィン系樹脂、ＡＢＳ樹脂、ＡＳＡ樹脂などの熱可塑性樹脂であって、端部２１と基部２２とでは通常同じ樹脂が用いられるが、異なっていてもよい。基部２２の幅方向側面は、表面２ａ又は裏面２ｂに対して傾斜していてもよい。
【０００９】
木口材２は、次のような手順で製造される。
まず、混合物Aと混合物Bをそれぞれ別の押出機で溶融し、1つの金型内で熱融着させることにより、端部２１と基部２２を一体成形することで、図１（ａ）に示す方形の断面形状を得る。そして、裏面２ｂを板材の側面に向けて貼り付けた後、表面２ａと端面２ｃ’とでなす稜線２ｄが滑らかな曲面となるようにトリミングすることにより、完成する。
【００１０】
木口材２は、板材１の側面に貼り付けられた状態で正面視するとトリミングされた端面２ｃが視野に入ることとなるが、端面２ｃ全体に混合物Ａが露出しているので、端面２ｃにおいて光沢が無い。また、表面２ａは混合物Ｂが露出しているので、表面２ａにおいても光沢が無い。
【００１１】
この実施形態では木口材２の幅方向両方の端部２１、２１を混合物Ａで成形したが、たとえば板材１がテーブルの天板であって、下面が装飾の必要のないものである場合は、幅方向の一方にのみ端部２１を設けてもよい。その端部２１が天板の上面と一致するように木口材２を貼り付けることで、天板の美感が保たれるからである。
【００１２】
−実施形態２−
図２（ａ）は第二の実施形態にかかる木口材のトリミング前の状態を示す厚さ方向断面図、（ｂ）は同じくトリミング後の状態を示す厚さ方向断面図である。
この実施形態では、基部３２が逆Ｔ字形状をなし、Ｔ字の縦棒部分が端部３１、３１に挟まれている。従って、端部３１は裏面３ｂから離れており、裏面３ｃ全体が基部３２で形成される。その他の点は、形質ともに実施形態１と同じである。このため、正面視で視野に入るほとんどの面は、実施形態１と同じく光沢が無く、しかも端部３１は裏面３ｂから離れているので、エラストマーの配合物が裏面にしみ出すことがなく、板材１に対する接着性を保持できる。
【００１３】
−実施形態３−
図３（ａ）は第三の実施形態にかかる木口材のトリミング前の状態を示す厚さ方向断面図、（ｂ）は同じくトリミング後の状態を示す厚さ方向断面図である。
この実施形態では、基部４２がＴ字形状をなし、Ｔ字の縦棒部分が端部４１、４１に挟まれている。従って、端部４１は表面４ａから離れており、表面４ａ全体が基部４２で形成される。その他の点は、形質ともに実施形態１と同じである。このため、正面視で視野に入るほとんどの面は、実施形態１と同じく光沢が無く、しかも端部４１は表面４ａから離れているので、表面４ａにおいて意匠の一体性が保たれる。また、表面４ａ全体がエラストマーを含まない基部４２で形成されているので、表面が傷つきにくい。
【００１４】
−実施形態４−
図４（ａ）は第四の実施形態にかかる木口材のトリミング前の状態を示す厚さ方向断面図、（ｂ）は同じくトリミング後の状態を示す厚さ方向断面図である。
この実施形態でも、基部５２がＴ字形状をなし、Ｔ字の縦棒部分が端部５１、５１に挟まれている。従って、端部５１は表面５ａから離れている。そして、基部５２は樹脂のみからなり、表面５ａには全面に艶消し剤２３が印刷されている。その他の点は、形質ともに実施形態１と同じである。このため、正面視で視野に入るほとんどの面は、実施形態１と同じく光沢が無く、しかも端部５１は表面５ａから離れているので、表面５ａにおいて意匠の一体性が保たれる。また、基部５２が樹脂のみからなるので、無機フィラーが添加されることによる基材の硬さ、脆さを防ぐことができる。
【００１５】
−実施形態５−
図５（ａ）は第五の実施形態にかかる木口材のトリミング前の状態を示す厚さ方向断面図、（ｂ）は同じくトリミング後の状態を示す厚さ方向断面図である。
この実施形態では、基部６２は樹脂のみからなり断面視で長方形をなす。そして、エラストマーを含む端部６１が基部６２を跨いで一方の端面から他方の端面に連なっている。すなわち端部６１は、表面６ａの全部を含むとともに基部６２の幅方向側面の全部を覆う。このため、正面視で視野に入る全ての面が、光沢が無く、意匠の一体性を有する。
【図面の簡単な説明】
【００１６】
【図１】実施形態１にかかる木口材を示し、（ａ）はトリミング前の状態を示す厚さ方向断面図、（ｂ）は同じくトリミング後の状態を示す厚さ方向断面図である。
【図２】実施形態２にかかる木口材を示し、（ａ）はトリミング前の状態を示す厚さ方向断面図、（ｂ）は同じくトリミング後の状態を示す厚さ方向断面図である。
【図３】実施形態３にかかる木口材を示し、（ａ）はトリミング前の状態を示す厚さ方向断面図、（ｂ）は同じくトリミング後の状態を示す厚さ方向断面図である。
【図４】実施形態４にかかる木口材を示し、（ａ）はトリミング前の状態を示す厚さ方向断面図、（ｂ）は同じくトリミング後の状態を示す厚さ方向断面図である。
【図５】実施形態５にかかる木口材を示し、（ａ）はトリミング前の状態を示す厚さ方向断面図、（ｂ）は同じくトリミング後の状態を示す厚さ方向断面図である。
【図６】木口材を板材に貼り付けているところを示す斜視図である。
【図７】従来の木口材を示し、（ａ）はトリミング前の状態を示す厚さ方向断面図、（ｂ）は同じくトリミング後の状態を示す厚さ方向断面図である。
【図８】もう一つの従来の木口材を示し、（ａ）はトリミング前の状態を示す厚さ方向断面図、（ｂ）は同じくトリミング後の状態を示す厚さ方向断面図である。
【符号の説明】
【００１７】
１  板材
２  木口材
２１、３１、４１、５１、６１  端部
２２、３２、４２、５２、６２  基部
２ａ、３ａ、４ａ、５ａ、６ａ  表面
２ｂ、３ｂ、４ｂ、５ｂ、６ｂ  裏面
２ｃ、３ｃ、４ｃ、５ｃ、６ｃ  端面
【図１】
2008289546.tif 000003
【図２】
2008289546.tif 000004
【図３】
2008289546.tif 000005
【図４】
2008289546.tif 000006
【図５】
2008289546.tif 000007
【図６】
2008289546.tif 000008
【図７】
2008289546.tif 000009
【図８】
2008289546.tif 000010